(57)【特許請求の範囲】
【請求項１】
化粧料収納部を有し雄螺子を螺設した広口の口頸部が立設された容器本体と、前記口頸部の開口端を閉塞する中蓋と、前記口頸部に螺着し前記中蓋を前記開口端に押さえ込む外蓋とからなる化粧料容器において、前記容器本体には仕切壁によって縦断された二つの化粧料収納部が区画形成されているとともに、前記中蓋の下面には前記仕切壁の上端面に当接して前記二つの化粧料収納部を区画密閉する中壁が設けられ、且つ前記中蓋は、その外縁に垂設された垂下片が前記口頸部の外周面に設けられた凹所に係合して回動不能に同じ方向に向けて同じ位置に施蓋されるように位置決めされ、前記中蓋を前記口頸部から取り外したとき、前記開口端に接する面を下に向けたまま前記垂下片を支持脚として立てかけて置けるようにしたことを特徴とする化粧料容器。
【発明の詳細な説明】
【０００１】
【発明の属する技術分野】
本発明は、クリームやファンデーションなど、半流動性を有する化粧料を収納する広口の化粧料容器に関する。
【０００２】
【従来の技術】
クリームやファンデーションのように半流動性の化粧料を収納するジャーと称される広口の容器にあっては、化粧料の付着による外蓋内部の汚れの広がりを防止し、且つ化粧料の香気の透過を防ぐ目的から、容器頸部の開口端にフイルムやシート類を介在させたり、又、図８に示すように、容器本体５０の口部５１内に中蓋５２を嵌挿することにより化粧料を密封し、その上から外蓋５３を施蓋することが一般に行われている。
【０００３】
そして、化粧をするときは、フイルムやシート、中蓋など、所謂中蓋５２の類を容器本体５０の口部５１から取り外し、化粧が終わると再び取り外した中蓋５２を口部５１に戻して外蓋５３を施蓋し、気密を保つようにしている。
【０００４】
【発明が解決しようとする課題】
ところで、上記従来の化粧料容器において使用されている中蓋類は、容器本体５０の口部５１を直接閉塞しているものであるので、その下面には化粧料が付着しており、従って、容器本体５０の口部５１から取り外した中蓋５２は、裏返して化粧料が付着している下面５４を上にして鏡台やテーブルの上に置かねばならず、化粧中に誤って中蓋５２の付着化粧料に衣服や手指が触れて汚してしまうことがある。
【０００５】
また、容器本体５０の口部５１に中蓋５２を戻すときは、化粧料が付着した面を上にした状態で置かれている扁平な中蓋５２を摘み上げるという厄介な操作が伴い、誤って中蓋５２を取り落として辺りを化粧料で汚してしまう危険がある。そして、落としてしまった中蓋５２は清掃をしなければならず、従って、取り外された中蓋５２の取り扱いには格別な注意が強いられていた。
【０００６】
本発明は、上記の問題に鑑みてなされたもので、取り外した中蓋を置きやすく、且つ摘み上げ易くするとともに、取り外した中蓋に付着している化粧料によって周囲が汚染される心配のない取り扱い操作性のよい中蓋を具備した化粧料容器にすることを課題としている。
【０００７】
【課題を解決するための手段】
そこで、本発明の請求項１に係る化粧料容器は、化粧料収納部を有し雄螺子を螺設した広口の口頸部が立設された容器本体と、前記口頸部の開口端を閉塞する中蓋と、前記口頸部に螺着し前記中蓋を前記開口端に押さえ込む外蓋とからなる化粧料容器において、前記容器本体には仕切壁によって縦断された二つの化粧料収納部が区画形成されているとともに、前記中蓋の下面には前記仕切壁の上端面に当接して前記二つの化粧料収納部を区画密閉する中壁が設けられ、且つ前記中蓋は、その外縁に垂設された垂下片が前記口頸部の外周面に設けられた凹所に係合して回動不能に同じ方向に向けて同じ位置に施蓋されるように位置決めされ、前記中蓋を前記口頸部から取り外したとき、前記開口端に接する面を下に向けたまま前記垂下片を支持脚として立てかけて置けるようにしたことにより前記課題の解決手段とした。
【０００８】
【発明の実施の形態】
以下、本発明の好適な実施の形態を添付図面を参照しながら詳細に説明する。
【０００９】
図１乃至図３は、本発明の化粧料容器の第一の実施の形態を示すもので、広口の口頸部２に雄螺子３を有する容器本体１と、前記口頸部２の開口端４を閉塞する中蓋１０と、前記口頸部２に螺着し前記中蓋１０を押さえ込む外蓋２０とから構成されている。
【００１０】
容器本体１は、その外壁である胴部５の上端が平坦な肩部６に形成されており、この肩部６を介して雄螺子３が螺設された口頸部２が立設され、この口頸部２の内側から底壁７ａに連続する内壁によって化粧料収納部７が形成されている。そして、胴部５の下端は底板８によって閉塞されており、上げ底となった前記化粧料収納部７の底壁７ａとで二重底のジャーに形成されている。
【００１１】
前記容器本体１の口頸部２の中心を挟んだ外周の二カ所の位置には、上端が口頸部２の開口端４に開放された舌片形状の凹所９，９が設けられており、この凹所９，９が設けられた部分で雄螺子３が途切れている。この凹所９，９は、外蓋２０を着脱するとき外蓋２０の回動の邪魔にならないように施蓋された中蓋１０の垂下片１１を収納するとともに、垂下片１１と係合することにより中蓋１０と口頸部２との位置決めをし、且つ、相互の回動を防止するものである。
【００１２】
中蓋１０は、図３に示すように、軟質の合成樹脂材料を用いて全体として薄い円盤状に形成されており、下面にリブ１４が周設された周壁１５に囲まれた下向きの浅い凹み１６を有し、その凹み１６内には弾性のある発泡体で形成されたパッキン１２が凹み１６より僅かに突出して貼着されている。また、中蓋１０外縁の前記口頸部２の凹所９に対応する二カ所の位置には、舌片状の垂下片１１，１１が対向して垂設されており、この垂下片１１，１１は口頸部２の凹所９内に収納されたとき口頸部２の外周面から突出しない厚みに形成されている。
【００１３】
外蓋２０は、硬質の合成樹脂材料を用いて有頂筒状に形成され、周壁２１の内周面には容器本体１の口頸部２の雄螺子３と螺合する雌螺子１３が設けられており、施蓋することにより中蓋１０を容器本体１の口頸部２の開口端４に押さえ込むようになっている。
【００１４】
以上のように構成された化粧料容器を使用するときは、外蓋２０を取り外し、次に中蓋１０の周壁１５または垂下片１１に指を掛け、摘んで取り外し、これを図３（ｃ）に示すようにそのままパッキン１２の面を下にして鏡台や机などの机上面Ｋの上に置いて化粧をする。置かれた中蓋１０は、二つの垂下片１１，１１が支持脚となって机上面Ｋの上に斜めに立てかけられた状態に支えられるで、化粧料が付着しているパッキン１２面を机上面Ｋに触れさせることなく置いておくことができる。
【００１５】
また、中蓋１０を容器本体１の口頸部２に戻すときは、パッキン１２面を下に向けたまま机上面Ｋから摘み上げて行えばよく、中蓋１０を裏返して手から手へ持ち変えるような複雑な操作を必要としない。従って、取り扱い中に誤って中蓋１０を取り落として辺りを化粧料で汚してしまうような危険が少ない。また、パッキン１２面に付着した化粧料を拭う場合も、中蓋１０を持った手首を返すだけでパッキン１２面を上にして行えるので、格別な注意を強いられることがなく取り扱い易い中蓋１０になっている。
【００１６】
図４乃至図６は、本発明の化粧料容器の別の実施の形態を示すものである。図において、上記の実施の形態と共通する部分については同一符合を付しその説明を省略する。
【００１７】
この実施の形態の化粧料容器は、基本的には先の実施の形態と同様に、容器本体１と、中蓋１０と、外蓋２０とから構成されている。この容器本体１の化粧料収納部７は、クリームとファンデーション、異なる色の二色のファンデーション等、二種類の化粧料を収納するように縦断する仕切壁２ａによって二つの化粧料収納部７，７に区画形成された二剤収納容器になっている。そして、中蓋１０の垂下片１１が係合する口頸部２の凹所９は、中蓋１０が常に同じ方向に向けて同じ位置に施蓋されるように一カ所だけ設けられている。
【００１８】
一方、中蓋１０の周壁１５の外縁には、前記凹所９に対応して一カ所に垂下片１１が垂設されているとともに、周壁１５に囲まれた下向きの浅い凹み１６内には、周壁１５と同じ高さのリブ状の中壁１７が凹み１６の中央を横断して垂下片１１の向きと直交する方向に延設されている。そして、この中壁１７が化粧料収納部７，７の仕切壁２ａの上面に当接することにより二つの化粧料収納部７，７を区画して密閉するようになっている。尚、中蓋１０の凹み１６内に先の実施の形態と同様にパッキンを設け、仕切壁２ａの上面に当接させて密閉するようにしてもよいことは言うまでもない。また、中壁１７が位置する中蓋１０の上面側には突条１８が設けられており、この突条１８は、外蓋２０が施蓋されたとき外蓋２０の裏面が当接して中蓋１０を容器本体１の口頸部２の開口端４に押圧して中蓋１０の密閉性を補強するものである。
【００１９】
尚、中蓋１０の垂下片１１と口頸部２の凹所９を設ける個所は一カ所に限るものでははなく、中蓋１０が常に同じ方向に向けて同じ位置に施蓋されるようにしてあればよく、例えば、各垂下片１１と各凹所９とが組み合わされた対にして設け、各対の形や大きさを変えたり、各対の設ける位置を正対させず不規則に配設することにより複数箇所に設けてもよい。この場合、中蓋１０のずれ動きを確実に防止する効果がある。
【００２０】
以上のように構成された化粧料容器は、二種類の化粧料が区画されて収納され、且つ広口でありながら中蓋１０によって混じり合わないように区画密閉されているので、化粧がし易く携帯性もよく使い勝手のよい便利な容器になっている。そして、化粧の為に取り外した中蓋１０は、図６（ｂ）に示すように、一つの垂下片１１を支持脚として中蓋１０の下面を下に向けたまま立てかけて置くことができるので、既述した先の実施の形態と同様の効果を奏することができる。
【００２１】
この類の化粧料容器に収納される化粧料は一般に粘性を有する半流動体のものが多く、化粧料を取り出すにはへら等の化粧用具が使用される。図７は、中蓋１０の上面に浅い収納凹所１９を設け、薄いへら状の化粧用具１９ａを収納するようにした例を示すものであり、化粧用具１９ａを化粧料容器に収納することにより携帯に便利なようにしてある。
【００２２】
【発明の効果】
本発明の化粧料容器によれば、以下の効果を奏することができる。
【００２３】
請求項１に係る化粧料容器によれば、中蓋の外縁に垂下片を設け、この垂下片を口頸部の外周面に設けた凹所に係合して回動不能に位置決めしてあるので、中蓋は外蓋の締め込みによって捻れたり回動して密閉を損なうことがない。また、中蓋を口頸部から取り外したとき、開口端に接して化粧料が付着している面を下に向けたまま垂下片を支持脚として机上面に立てかけて置けるようにしたので、中蓋に付着している化粧料による汚染事故を防止できるとともに、立てかけられている中蓋は摘み易く、且つ中蓋を持ち変えることなく着脱操作ができるので、誤って中蓋を取り落す危険が少く、取り扱い易い容器となっている。
【００２４】
また、仕切壁によって二つの化粧料収納部が形成されるとともに、二つの化粧料収納部は回動不能に位置決めされた中蓋によって間仕切りされて密閉されているので、収納された二種類の化粧料が混じり合うことがなく、広口の使い易い二剤収納容器となっている。
【図面の簡単な説明】
【図１】  本発明の化粧料容器の実施形態を示す分解斜視図。
【図２】  同実施形態の半断面図。
【図３】  同実施形態に於いて使用される中蓋を示すもので、（ａ）は側面図，（ｂ）は要部の拡大断面図，（Ｃ）は（ａ）の９０度方向から見た立てかけ状態の側面図。
【図４】  本発明の化粧料容器の別の実施形態を示す分解斜視図。
【図５】  同実施形態の断面図。
【図６】  同実施形態に於いて使用される中蓋を示すもので、（ａ）は平面図，（ｂ）は下面図，（Ｃ）は立てかけ状態の断面図。
【図７】  本発明の化粧料容器に於いて使用される中蓋の別の実施形態を示す斜視図。
【図８】  従来例を示す断面図。
【符号の説明】
１  容器本体，２  口頸部，２ａ  仕切壁，３  雄螺子，４  開口端，７  化粧料収納部，９  凹所，１０  中蓋，１１  垂下片，１７  中壁，１９  収納凹所，１９ａ  化粧用具，２０  外蓋
【図１】
0003708605.tif 000002
【図２】
0003708605.tif 000003
【図３】
0003708605.tif 000004
【図４】
0003708605.tif 000005
【図５】
0003708605.tif 000006
【図６】
0003708605.tif 000007
【図７】
0003708605.tif 000008
【図８】
0003708605.tif 000009